(57)【要約】【課題】ＩＰ網経由で制御しているテレビジョンカメラシステムをＳＮＭＰマネージャーに応答させる。【課題を解決するための手段】撮像部と制御部と遠隔制御手段と概制御部と概撮像部とを接続する光複合ケーブルと概制御部と概遠隔制御手段とを接続するInternet  Protocol（ＩＰ）網とＳＮＭＰマネージャーとを備える撮像システムにおいて、前記制御部と前記遠隔制御手段の一方にＳＮＭＰエージェントを実装し、ＳＮＭＰエージェントを実装した一方の機器が、前記撮像部と前記制御部と前記遠隔制御手段の機器情報と前記ＩＰ網情報を収集し蓄積し前記ＳＮＭＰマネージャーに応答する。上記撮像システムにおいて、上記撮像部または上記制御部を制御する制御装置と、上記撮像部と、上記制御部とのの少なくとも一方は表示手段を有し、上記収集し蓄積した機器情報とＩＰ網情報を前記表示手段の少なくとも一方に、表示させる。【選択図】図１
2012090169.tif 000002
【特許請求の範囲】
【請求項１】
撮像部と制御部と遠隔制御手段と概制御部と概撮像部とを接続する光複合ケーブルと概制御部と概遠隔制御手段とを接続するInternet  Protocol（ＩＰ）網とＳＮＭＰマネージャーとを備える撮像システムにおいて、前記制御部と前記遠隔制御手段の一方にＳＮＭＰエージェントを実装し、ＳＮＭＰエージェントを実装した一方の機器が、前記撮像部と前記制御部と前記遠隔制御手段の機器情報と前記ＩＰ網情報を収集し蓄積し前記ＳＮＭＰマネージャーに応答することを特徴とする撮像システム。
【請求項２】
請求項１の撮像システムにおいて、上記撮像部または上記制御部を制御する制御装置と、上記撮像部と、上記制御部との少なくとも一方は表示手段を有し、上記収集し蓄積し上記ＳＮＭＰマネージャーに応答した上記機器情報と前記ＩＰ網情報をを前記表示手段の少なくとも一方に、表示させる機能を有することを特徴とする撮像システム。
【発明の詳細な説明】
【技術分野】
【０００１】
本発明は、撮像システムに関するものである。
【背景技術】
【０００２】
従来、テレビジョンカメラシステムでは撮像部（カメラヘッド、カメラ）と接続された制御部（カメラコントロールユニットCamera Control Unit:CCU）との間で本線映像信号，送り返し映像信号，音声信号，コントロール用シリアルデータ信号，及び電源の送受信の時分割双方向伝送を３重同軸（トライアックス）ケーブル１本の伝送路で行う方法をデジタルトライアックスシステムと称する（特許文献１）。
【０００３】
有効走査線７２０本と有効走査線１０８０本のハイビジョン（ＨＤＴＶ）では、本線映像信号，送り返し映像信号，音声信号，コントロール用シリアルデータ信号の送受信伝送と電源供給送を光複合ケーブルで用いる方が一般である。
【０００４】
また、一般に制御部（ＣＣＵ：カメラコントロールユニット）を遠隔制御装置（ＲＣＵ：リモートコントロールユニット）や集中遠隔制御装置（ＳＣＵ：セットアップコントロールユニット）で制御している。
【０００５】
従来、カメラヘッドと制御部を光複合ケーブルで接続し、Internet  Protocol（ＩＰ）網経由で遠隔制御装置や集中遠隔制御装置で制御しているテレビジョンカメラシステムでは、  一般的に、Simple Network Management Protocol（以下ＳＮＭＰと称する）に対応するためには、機器ごとにＬＡＮ接続可能かつＳＮＭＰエージェントを実装しなければならない。
【先行技術文献】
【特許文献】
【０００６】
【特許文献１】特開平７−２０３３９９号公報
【発明の概要】
【発明が解決しようとする課題】
【０００７】
ＩＰ網経由で遠隔制御装置や集中遠隔制御装置で制御しているテレビジョンカメラシステムをＳＮＭＰマネージャーに応答することを可能にする事が本発明の目的である。
【課題を解決するための手段】
【０００８】
本発明は、上記課題を解決するため、撮像部と制御部と遠隔制御手段と概制御部と概撮像部とを接続する光複合ケーブルと概制御部と概遠隔制御手段とを接続するInternet  Protocol（ＩＰ）網とSimple Network Management
Protocol（ＳＮＭＰ）マネージャーとを備える撮像システムにおいて、前記制御部と前記遠隔制御手段の一方にＳＮＭＰエージェントを実装し、ＳＮＭＰエージェントを実装した一方の機器が、前記撮像部と前記制御部と前記遠隔制御手段の機器情報と前記ＩＰ網情報を収集し蓄積し前記ＳＮＭＰマネージャーに応答することを特徴とする撮像システムである。
【０００９】
また、上記撮像システムにおいて、上記撮像部または上記制御部を制御する制御装置と、上記撮像部と、上記制御部との少なくとも一方は表示手段を有し、上記収集し蓄積し上記ＳＮＭＰマネージャーに応答した上記機器情報と前記ＩＰ網情報をを前記表示手段の少なくとも一方に、表示させる機能を有することを特徴とする撮像システムである。
【発明の効果】
【００１０】
本発明によれば、簡単な構成で、ＩＰ網経由で遠隔制御装置や集中遠隔制御装置で制御しているテレビジョンカメラシステムをＳＮＭＰマネージャーに応答することを可能にする事がができる。
【図面の簡単な説明】
【００１１】
【図１】本発明の１実施例の撮像部と制御部と遠隔制御手段と光複合ケーブルとＩＰ網を含む撮像システムの全体構成を示すブロック図
【発明を実施するための形態】
【実施例１】
【００１２】
本発明の１実施例の撮像部と制御部と遠隔制御手段と光複合ケーブルとＩＰ網を含む撮像システムの全体構成を示すブロック図の図１を用いて本発明の１実施例を説明する。
【００１３】
図１において、遠隔制御手段はパーソナルコンピュ−タまたは遠隔制御装置または集中遠隔制御装置で構成される。
また、図１において、撮像部はカメラヘッドと呼ばれ図示しない表示手段のビューファインダを有する。制御部はＣＣＵ：カメラコントロールユニットと呼ばれ、遠隔制御装置はＲＣＵ：リモートコントロールユニットと呼ばれ、集中遠隔制御装置はＳＣＵ：セットアップコントロールユニットと呼ばれ、表示手段の液晶表示部を有する。撮像システムはテレビジョンカメラシステムと呼ばれる。
【００１４】
図１において、カメラヘッドの１Ａ，１Ｂ，１Ｃ，１ＤとＣＣＵの３Ａ，３Ｂ，３Ｃ，３Ｄを光複合ケーブルの２Ａ，２Ｂ，２Ｃ，２Ｄで接続したテレビジョンカメラシステムでは、ネットワークケーブルの４Ａ〜４Ｌと、ネットワークスイッチャの５と７とＩＰ網の６とを経由して、パーソナルコンピュ−タ９またはＳＣＵの１０またはＲＣＵの１１Ａ，１１Ｂ，１１Ｃ，１１Ｄにより、システムの遠隔制御を行なっている。また、制御装置（ＲＣ：リモートコントロール）の１２Ａ，１２Ｂ，１２Ｃ，１２Ｄで、カメラヘッドの１Ａ，１Ｂ，１Ｃ，１ＤとＣＣＵの３Ａ，３Ｂ，３Ｃ，３Ｄの制御を行なっている。
【００１５】
図１において、ＣＣＵの３Ａ，３Ｂ，３Ｃ，３ＤまたはＳＣＵの６またはＲＣＵの１１Ａ，１１Ｂ，１１Ｃ，１１Ｄが前記撮像部と前記制御部と前記遠隔制御手段の機器情報と前記ＩＰ網情報を一定間隔、または、変化を検出した場合に、収集し前記ＳＮＭＰマネージャーに応答し、その機器情報と前記ＩＰ網情報を、ＥＥＰＲＯＭまたはＳＳＤまたはＨＤＤの記憶デバイスまたは図示しない外部記憶デバイスに保存する。
【００１６】
機器情報と前記ＩＰ網情報を参照する場合は、カメラヘッドの１Ａ，１Ｂ，１Ｃ，１Ｄのビューファインダ、ＣＣＵの３Ａ，３Ｂ，３Ｃ，３ＤまたはＲＣの１２Ａ，１２Ｂ，１２Ｃ，１２ＤまたはＳＣＵの１０またはＲＣＵの液晶パネル（ＬＣＤ）に表示させる。
【００１７】
パソコンからネットワクーク経由でＣＣＵの３Ａ，３Ｂ，３Ｃ，３ＤまたはＳＣＵの１０またはＲＣＵの１１Ａ，１１Ｂ，１１Ｃ，１１Ｄの機器情報と前記ＩＰ網情報を読み出す方法、あるいは、直接外部記憶デバイスの機器情報と前記ＩＰ網情報をパーソナルコンピュ−タの９または図示しないノートブック型パーソナルコンピュ−タにて読み出し、パーソナルコンピュ−タの９または図示しない可搬型パーソナルコンピュ−タの表示手段に表示することにより参照する。
【００１８】
上説明したような本発明によれば、パーソナルコンピュ−タの９またはＳＣＵの１０またはＲＣＵの１１Ａ，１１Ｂ，１１Ｃ，１１Ｄの遠隔制御手段が近くに無い環境でも、カメラヘッドの１Ａ，１Ｂ，１Ｃ，１Ｄまたは、ＣＣＵの３Ａ，３Ｂ，３Ｃ，３ＤまたはＲＣの１２Ａ，１２Ｂ，１２Ｃ，１２Ｄで、過去の機器情報と前記ＩＰ網情報を確認することが可能となる。
【００１９】
また、図示しない可搬型パーソナルコンピュ−タをもちいても、過去の機器情報と前記ＩＰ網情報を確認することが可能となる。
【００２０】
ＲＣＵがＳＮＭＰ対応機器となった場合を例にする。
ＲＣＵは、カメラヘッド、ＣＣＵ、ＳＣＵより機器情報（カメラ電源、カメラケーブル接続状態、カメラとＣＣＵ間信号の受光レベル等）、ネットワーク情報（機器の接続状態等）を収集する。収集した情報を拡張（プライベート）ＭＩＢ（管理情報ベース）としてＳＮＭＰマネージャーに応答する。
【００２１】
上述により、テレビジョンカメラシステムのシステム構成機器の全てをＳＮＭＰ対応しなくても、構成機器を代表して何れか１機種がＳＮＭＰ対応機器とすることで、機器情報、ネットワーク情報をＳＮＭＰマネージャーに応答することが可能となる。
【符号の説明】
【００２２】
１Ａ，１Ｂ，１Ｃ，１Ｄ：撮像部（カメラヘッド）、
２Ａ，２Ｂ，２Ｃ，２Ｄ：光複合ケーブル（光ケーブル）、
３Ａ，３Ｂ，３Ｃ，３Ｄ：制御部（ＣＣＵ：カメラコントロールユニット）、
４Ａ〜４Ｌ：ネットワークケーブル、５，７：ネットワークスイッチャ、
６：インターネットプロトコル（ＩＰ）網、９：パーソナルコンピュ−タ
１０：集中遠隔制御装置（ＳＣＵ：セットアップコントロールユニット）、
１１Ａ，１１Ｂ，１１Ｃ，１１Ｄ：遠隔制御装置（ＲＣＵ：リモートコントロールユニット）、
１２Ａ，１２Ｂ，１２Ｃ，１２Ｄ：制御装置（ＲＣ：リモートコントロール）、
【図１】
2012090169.tif 000003